(57)【特許請求の範囲】
【請求項１】
複数のレンズ群を有し、ズーミングに際して隣り合うレンズ群の間隔が変化するズームレンズであって、
前記複数のレンズ群は、前記複数のレンズ群のうち最も物体側に配置された正の屈折力を有するレンズ群Ｌ１と、前記レンズ群Ｌ１の像側に配置された負の屈折力を有するレンズ群ＬＡと、前記レンズ群ＬＡの像側に隣接して配置された正の屈折力を有するレンズ群ＬＢと、を含む５または７群で構成され、
広角端から望遠端へのズーミングに際して、前記レンズ群Ｌ１と前記レンズ群ＬＡとの間隔は広がり、前記レンズ群ＬＡと前記レンズ群ＬＢとの間隔は狭まり、広角端での前記ズームレンズのパワーをφｗ、望遠端での前記ズームレンズのパワーをφｔ、前記レンズ群ＬＡのパワーをφＡ、とし、
前記レンズ群ＬＡ内に含まれる光学素子を物体側から順に数えた場合の番号をｉ、前記レンズ群ＬＢ内に含まれる光学素子を物体側から順に数えた場合の番号をｊとし、
前記レンズ群ＬＡにおけるｉ番目の光学素子のパワーをφＡｉ、ｄ線における屈折率をＮｄＡｉ、ｇ線における屈折率をＮｇＡｉ、Ｃ線における屈折率をＮＣＡｉ、Ｆ線における屈折率をＮＦＡｉとし、
前記レンズ群ＬＢにおけるｊ番目の光学素子のパワーをφＢｊ、ｄ線における屈折率をＮｄＢｊ、ｇ線における屈折率をＮｇＢｊ、Ｃ線における屈折率をＮＣＢｊ、Ｆ線における屈折率をＮＦＢｊとし、
【数１】
0006418888.tif 000020
νＡｉ＝（ＮｄＡｉ−１）／（ＮＦＡｉ−ＮＣＡｉ）、ただしｉ番目の光学素子が回折光学素子であればνＡｉ＝−３．４５３
νＢｊ＝（ＮｄＢｊ−１）／（ＮＦＢｊ−ＮＣＢｊ）、ただしｊ番目の光学素子が回折光学素子であればνＢｊ＝−３．４５３
θｇＦＡｉ＝（ＮｇＡｉ−ＮＦＡｉ）／（ＮＦＡｉ−ＮＣＡｉ）、ただしｉ番目の光学素子が回折光学素子であればθｇＦＡｉ＝０．２９５６
θｇＦＢｊ＝（ＮｇＢｊ−ＮＦＢｊ）／（ＮＦＢｊ−ＮＣＢｊ）、ただしｊ番目の光学素子が回折光学素子であればθｇＦＢｊ＝０．２９５６
ΔθｇＦＡｉ＝θｇＦＡｉ−（−１．６１７８３×１０−３×νＡｉ＋０．６４１４６）、ただしｉ番目の光学素子が回折光学素子であればΔθｇＦＡｉ＝−０．３５１４５
ΔθｇＦＢｊ＝θｇＦＢｊ−（−１．６１７８３×１０−３×νＢｊ＋０．６４１４６）、ただしｊ番目の光学素子が回折光学素子であればΔθｇＦＢｊ＝−０．３５１４５
とするとき、
−５．０×１０−４＜ＳＵＭ（Ａ）×ＳＵＭ（Ｂ）／（φｗ×φｔ）＜−５．０×１０−７
０．５＜│ＳＵＭ（Ａ）／ＳＵＭ（Ｂ）│＜１．５
【数２】
0006418888.tif 000021
なる条件式を満足することを特徴とするズームレンズ。
【請求項２】
前記レンズ群ＬＢの内部または前記レンズ群ＬＢに隣接する位置に配置される開口絞りを更に有することを特徴とする請求項１に記載のズームレンズ。
【請求項３】
前記レンズ群ＬＢは、回折光学素子を含んでいることを特徴とする請求項１または２に記載のズームレンズ。
【請求項４】
前記レンズ群ＬＢ内の正レンズのｄ線における屈折率をＮＢＰとするとき、前記レンズ群ＬＢ内の少なくとも１枚の正レンズが、
１．５０＜ＮＢＰ＜２．００
なる条件式を満足することを特徴とする請求項１から３のうちいずれか１項に記載のズームレンズ。
【請求項５】
前記レンズ群ＬＢよりも像側に位置する正レンズのｄ線における屈折率をＮＰとするとき、前記レンズ群ＬＢよりも像側に位置する正レンズの少なくとも１枚が、
１．５０＜ＮＰ＜２．００
なる条件式を満足することを特徴とする請求項１から４のうちいずれか１項に記載のズームレンズ。
【請求項６】
前記レンズ群ＬＢのパワーをφＢとするとき、
【数３】
0006418888.tif 000022
なる条件式を満足することを特徴とする請求項１から５のうちいずれか１項に記載のズームレンズ。
【請求項７】
前記レンズ群Ｌ１のパワーをφ１とするとき、
【数４】
0006418888.tif 000023
なる条件式を満足することを特徴とする請求項１から６のうちいずれか１項に記載のズームレンズ。
【請求項８】
−１．０×１０−２＜ＳＵＭ（Ａ）／φｗ＜−１．０×１０−４
なる条件式を満足することを特徴とする請求項１から７のうちいずれか１項に記載のズームレンズ。
【請求項９】
前記レンズ群ＬＡにおいて最も物体側に位置するレンズの物体側のレンズ面の面頂点と、前記レンズ群ＬＢにおいて最も像側に位置するレンズの像側のレンズ面の面頂点との広角端における光軸上の距離をｄｗＡＢ、望遠端における光軸上の距離をｄｔＡＢとし、前記ズームレンズにおいて最も物体側に位置するレンズの物体側のレンズ面の面頂点と像面との広角端における距離をＬｗ、望遠端における距離をＬｔとするとき、
０．１０＜ｄｗＡＢ／Ｌｗ＜０．５０
０．０５＜ｄｔＡＢ／Ｌｔ＜０．２５
なる条件式を満足することを特徴とする請求項１から８のうちいずれか１項に記載のズームレンズ。
【請求項１０】
請求項１から９のうちいずれか１項に記載のズームレンズを有していることを特徴とする光学機器。
【発明の詳細な説明】
【技術分野】
【０００１】
本発明はズームレンズ及びそれを有するスチルカメラ、ビデオカメラ、プロジェクター、放送用テレビカメラ等の光学機器に関する。
【背景技術】
【０００２】
近年、デジタルカメラの画素数の増加や画素の高密度化が進んでおり、高性能かつコンパクトで高画質な画像を取得可能なズームレンズが求められている。
【０００３】
従来の撮像もしくは画像投影に利用するズームレンズとしては、最も物体側に正の屈折力を有するレンズ群を配置したポジティブリード型ズームレンズが知られている。例えば、特許文献１、２、及び３はポジティブリード型ズームレンズに関するものであり、これらは回折光学素子を利用したりズーミングを行う際に多くのレンズ群を動かすことにより、全ズーム域で色収差も含めた収差量を低減させて高画質な画像を取得できる。
【０００４】
また、多群移動タイプのズームレンズにおいて各群に適切な変倍分担を行い、適切なパワーをつけた群を各々移動させることで、１つの変倍レンズ群だけを動かすよりも短い移動量で同じ変倍比を得ることができる。この構成により、ズームレンズ全系の小型化が達成できる。また、上記構成でズームレンズ全系の大きさと各レンズ群の移動量を減らさなければ、変倍率を高めることが可能となる。
【先行技術文献】
【特許文献】
【０００５】
【特許文献１】特開２００４−２１２６１２号公報
【特許文献２】特開２００４−３１７８６７号公報
【特許文献３】特開２０００−２２７５５１号公報
【発明の概要】
【発明が解決しようとする課題】
【０００６】
従来のフルハイビジョン（画素数１９２０×１０８０、画素サイズ数μｍ）相当の画質であれば、上述の特許文献に記載されているような従来例で十分であった。しかしながら、スーパーハイビジョン（画素数８０００×４０００、画素サイズ１μｍ前後）等の将来求められる画質については、従来のズームレンズの結像性能では十分ではない。そのため、更なる性能の向上（特に色収差量の低減）が求められている。
【０００７】
色収差が残存すれば、結像性能に影響を与え、ズーム全域において高い空間周波数まで解像できない。また、各レンズ群のパワーを緩くし変倍レンズ群の移動量を増やせば収差を低減できるが、ズームレンズの全系の大型化を招く。
【０００８】
特許文献１では第１レンズ群や第３レンズ群の正レンズに異常分散材料を用いることで、レンズ径全体を大型化することなく色収差を含めた諸収差を補正することを目的としている。しかし、この構成では広角端の倍率色収差が残存する。
【０００９】
特許文献２では第１レンズ群が回折光学素子を使用することで、色収差を含めた諸収差を低減させつつ大幅な全長の短縮を目的としている。しかし、第２レンズ群から像側の光学系は従来と同様の構成であり、色収差量を更に低減できる余地がある。
【００１０】
特許文献３では絞り付近に回折光学素子を使用することにより、コンパクトな光学系で高画質な画像を取得することを目的としてる。しかし、この従来例はイメージサークル径に対してレンズ全長が非常に大きい。よって、光学系のコンパクト化という面で適切な構成ではない。
【００１１】
そこで、本発明は上述の事情に鑑み、全ズーム領域で色収差を低減しつつ、従来よりもコンパクトで高画質なズームレンズを提供することである。
【課題を解決するための手段】
【００１２】
本発明の一側面としてのズームレンズは、複数のレンズ群を有し、ズーミングに際して隣り合うレンズ群の間隔が変化するズームレンズであって、複数のレンズ群は、該複数のレンズ群のうち最も物体側に配置された正の屈折力を有するレンズ群Ｌ１と、レンズ群Ｌ１の像側に配置された負の屈折力を有するレンズ群ＬＡと、レンズ群ＬＡの像側に配置された正の屈折力を有するレンズ群ＬＢと含む５または７群で構成される。広角端から望遠端へのズーミングに際して、レンズ群Ｌ１とレンズ群ＬＡとの間隔は広がり、レンズ群ＬＡとレンズ群ＬＢとの間隔は狭まる。広角端でのズームレンズのパワーをφｗ、望遠端でのズームレンズのパワーをφｔ、レンズ群ＬＡのパワーをφＡ、とし、レンズ群ＬＡ内に含まれる光学素子を物体側から順に数えた場合の番号をｉ、レンズ群ＬＢ内に含まれる光学素子を物体側から順に数えた場合の番号をｊとし、レンズ群ＬＡにおけるｉ番目の光学素子のパワーをφＡｉ、ｄ線における屈折率をＮｄＡｉ、ｇ線における屈折率をＮｇＡｉ、Ｃ線における屈折率をＮＣＡｉ、Ｆ線における屈折率をＮＦＡｉとし、レンズ群ＬＢにおけるｊ番目の光学素子のパワーをφＢｊ、ｄ線における屈折率をＮｄＢｊ、ｇ線における屈折率をＮｇＢｊ、Ｃ線における屈折率をＮＣＢｊ、Ｆ線における屈折率をＮＦＢｊとし、
【数１】
0006418888.tif 000002
νＡｉ＝（ＮｄＡｉ−１）／（ＮＦＡｉ−ＮＣＡｉ）、ただしｉ番目の光学素子が回折光学素子であればνＡｉ＝−３．４５３
νＢｊ＝（ＮｄＢｊ−１）／（ＮＦＢｊ−ＮＣＢｊ）、ただしｊ番目の光学素子が回折光学素子であればνＢｊ＝−３．４５３
θｇＦＡｉ＝（ＮｇＡｉ−ＮＦＡｉ）／（ＮＦＡｉ−ＮＣＡｉ）、ただしｉ番目の光学素子が回折光学素子であればθｇＦＡｉ＝０．２９５６
θｇＦＢｊ＝（ＮｇＢｊ−ＮＦＢｊ）／（ＮＦＢｊ−ＮＣＢｊ）、ただしｊ番目の光学素子が回折光学素子であればθｇＦＢｊ＝０．２９５６
ΔθｇＦＡｉ＝θｇＦＡｉ−（−１．６１７８３×１０−３×νＡｉ＋０．６４１４６）、ただしｉ番目の光学素子が回折光学素子であればΔθｇＦＡｉ＝−０．３５１４５
ΔθｇＦＢｊ＝θｇＦＢｊ−（−１．６１７８３×１０−３×νＢｊ＋０．６４１４６）、ただしｊ番目の光学素子が回折光学素子であればΔθｇＦＢｊ＝−０．３５１４５とするとき、下記の条件式を満足することを特徴とする。
【００１３】
−５．０×１０−４＜ＳＵＭ（Ａ）×ＳＵＭ（Ｂ）／（φｗ×φｔ）＜−５．０×１０−７
０．５＜│ＳＵＭ（Ａ）／ＳＵＭ（Ｂ）│＜１．５
【００１４】
【数２】
0006418888.tif 000003
【発明の効果】
【００１５】
本発明によれば全ズーム領域で色収差を低減しつつ、コンパクトな光学系で高画質なズームレンズを提供することができる。
【図面の簡単な説明】
【００１６】
【図１】実施例１のズームレンズの物体距離無限遠時におけるレンズ断面図
【図２】実施例２のズームレンズの物体距離無限遠時におけるレンズ断面図
【図３】実施例３のズームレンズの物体距離無限遠時におけるレンズ断面図
【図４】実施例４のズームレンズの物体距離無限遠時におけるレンズ断面図
【図５】実施例１のズームレンズの物体距離無限遠時における縦収差図
【図６】実施例２のズームレンズの物体距離無限遠時における縦収差図
【図７】実施例３のズームレンズの物体距離無限遠時における縦収差図
【図８】実施例４のズームレンズの物体距離無限遠時における縦収差図
【図９】本発明を撮像装置に適用した時の説明図
【図１０】本発明を投影装置に適用した時の説明図
【図１１】本発明の説明図
【発明を実施するための形態】
【００１７】
以下に、本発明の好ましい実施の形態を、添付の図面に基づいて詳細に説明する。
【００１８】
図１から図４はそれぞれ本発明の実施例１から４のズームレンズＬ０の断面図である。図１から図４において、（Ａ）は広角端でのズームレンズＬ０の断面図であり、（Ｂ）は望遠端でのズームレンズＬ０の断面図である。また図５から図８は、それぞれ実施例１から４におけるズームレンズＬ０の縦収差図を示す。図５から図８において、（Ａ）は広角端での縦収差図であり、（Ｂ）はズーム中間位置での縦収差図であり、（Ｃ）は望遠端での縦収差図である。なお、広角端と望遠端とは、移動するレンズ群が機構上、光軸上を移動可能な範囲の両端に位置したときのズーム位置をいう（以下、各実施例において同じ）。
【００１９】
各実施例のズームレンズＬ０は、最も物体側のレンズ群が正の屈折力を有するポジティブリード型ズームレンズである。Ｌ１からＬ７は物体側から像側に向かって順番に配置されたレンズ群を示し、Ｌ１は第１レンズ群、Ｌ２は第２レンズ群、Ｌ３は第３レンズ群、Ｌ４は第４レンズ群、Ｌ５は第５レンズ群、Ｌ６は第６レンズ群、Ｌ７は第７レンズ群である。
【００２０】
ズームレンズＬ０は、レンズ群Ｌ１像側に負の屈折力を有するレンズ群ＬＡを有し、レンズ群ＬＡの像側に正の屈折力を有するレンズ群ＬＢを有する。レンズ群ＬＡとレンズ群ＬＢの間には他のレンズ群は配置されず、レンズ群ＬＡとレンズ群ＬＢは互いに隣り合ったレンズ群である。
【００２１】
各実施例において、レンズ群ＬＢは回折光学素子ＤＯＥを含んでいる。また、レンズ群ＬＢ内部、若しくはレンズ群ＬＢの像側または物体側に隣接した位置に開口絞りＳＰを有する。ズーミング（変倍）の際は、広角端よりも望遠端の方がレンズ群Ｌ１とレンズ群ＬＡとの間隔が広くなり、かつ、レンズ群ＬＡとレンズ群ＬＢとの間隔が狭くなるように、各レンズ群が相対的に移動する。
【００２２】
ＩＰは像面であり、ビデオカメラやデジタルカメラに適用する際には像を受光するＣＣＤセンサやＣＭＯＳセンサ等の固体撮像素子（光電変換素子）の撮像面が、銀塩フィルム用カメラに適用する際にはフィルム面に相当する。またプロジェクター等の画像投影装置に適用する際には液晶パネル等の画像表示素子に相当する。
【００２３】
Ｄは回折光学素子ＤＯＥの一部を構成する回折光学部（回折光学面）である。回折光学部Ｄより生ずる回折光のうち、各実施例で用いる回折光の回折次数ｍは１であり、設計波長λ０はｄ線の波長（５８７．５６ｎｍ）である。なおズームレンズＬ０に設ける回折光学面Ｄは１つに限らず更に追加しても良く、これによれば更に良好な光学性能が得られる。また回折光学面Ｄは非球面をベースとしても良く、ベースの材質は光を透過するものであればガラスでなくともプラスチックでも良い。
【００２４】
矢印は広角端から望遠端へのズーミングにおいて、各レンズ群が移動する軌跡を示す。フォーカス及びフローティングに関する矢印は、無限遠物体から近距離物体へフォーカシングするときの各レンズ群の移動方向を示す。  図５から図８に示す収差図において、ｄ、ｇは順に、ｄ線、ｇ線である。Ｍ、Ｓはメリディオナル像面、サジタル像面。ＦｎｏはＦナンバー、ωは半画角である。収差図において、球面収差は０．４ｍｍ、非点収差は０．４ｍｍ、歪曲は２％、倍率色収差は０．０５ｍｍのスケールで描かれている。
【００２５】
以上、各実施例において用いられる部材や構成について概略的に説明したが、本発明はこれらの実施形態に限定されず、その要旨の範囲内で種々の変形及び変更が可能である。
【００２６】
次に、各実施例のズームレンズの構成について詳細に説明する。
【００２７】
各実施例の望遠端において、レンズ群Ｌ１とレンズ群ＬＡとの距離は離れており、レンズ群ＬＡの軸上近軸光線の光軸からの高さはレンズ群Ｌ１よりも低い。そこで、蛍石などに代表される低分散かつΔθｇＦの値がプラス方向に大きな異常分散材料をレンズ群Ｌ１の正レンズに用いることで、ＣＦ線間だけでなくｇＦ線間の軸上色収差を効率的に補正する。なお、レンズ群Ｌ１に回折光学素子ＤＯＥを用いても軸上色収差を補正できる。
【００２８】
一方、広角端では、レンズ群Ｌ１とレンズ群ＬＡとの距離が近くなるため、このままでは広角端の特にｇＦ線間の倍率色収差が悪化する。そこで、レンズ群ＬＡに上述のΔθｇＦの値がプラス方向に大きな材料を負レンズに使用することで、広角端のｇＦ線間の倍率色収差の悪化を防ぐ。また、広角端におけるＣＦ線間の倍率色収差も一緒に補正するためには、低分散材料（例えば、蛍石やＳ−ＦＰＬ５１（オハラ社材料名））をレンズ群ＬＡの負レンズに使用しなければならない。しかし、この場合に単純にレンズ群ＬＡの負レンズの材料を低分散かつΔθｇＦの値がプラス方向に大きな材料に置き換えると、今度は望遠端の軸上色収差が悪化する。すなわち、レンズ群ＬＡがレンズ群Ｌ１と逆符号の色収差補正力を有するため、望遠端での軸上色収差を少なからず悪化させてしまう。
【００２９】
前述のように、望遠端においてレンズ群ＬＡの軸上近軸光線の光軸からの高さは、レンズ群Ｌ１よりも低い。そのため、レンズ群ＬＡが軸上色収差に与える影響は、レンズ群Ｌ１より少ない。しかし、結像性能を更に向上ためには、レンズ群ＬＡが軸上色収差に与える影響をも低減させる必要がある。
【００３０】
図１１において、各実施例では、レンズ群ＬＢをレンズ群ＬＡよりも像側に配置し、広角端から望遠端へズーミングを行う際にレンズ群ＬＡとレンズ群ＬＢの距離が縮まるようにズーム軌跡を設定した。また、レンズ群ＬＢの材料は、レンズ群ＬＡとは逆方向の色収差補正力を有する。これは後述のＳＵＭ（Ａ）とＳＵＭ（Ｂ）の符号が異なることを意味する。
【００３１】
以下に、各実施例のズームレンズＬ０が満足する条件式を示す。
【００３２】
−５．０×１０−４＜ＳＵＭ（Ａ）×ＳＵＭ（Ｂ）／（φｗ×φｔ）＜−５．０×１０−７・・（１）
０．５＜│ＳＵＭ（Ａ）／ＳＵＭ（Ｂ）│＜１．５                  ・・・（２）
【００３３】
【数３】
0006418888.tif 000004
【００３４】
ここで、φｗは広角端での全系のパワー、φｔは望遠端での全系のパワー、φＡはレンズ群ＬＡの全体のパワー、ＳＵＭ（Ａ）はレンズ群ＬＡの色収差補正力、ＳＵＭ（Ｂ）はレンズ群ＬＢの色収差補正力を示す。
【００３５】
色収差補正力ＳＵＭ（Ａ）およびＳＵＭ（Ｂ）はｇ線とＦ線も加味したものである。レンズ群の分散が大きい（νの値が小さい）ほど、パワーが強いほど、または、ΔθｇＦ（異常分散特性値）の値が大きいほど、レンズ群の有する色収差が大きく、色収差補正力も大きい。ｇ線とF線も加味したものであるので、Ｃ線とＦ線だけでなく、ｇ線とＦ線の色収差のコントロールも可能である。
【００３６】
色収差補正力ＳＵＭ（Ａ）とＳＵＭ（Ｂ）は、以下の式で定義される。
【００３７】
【数４】
0006418888.tif 000005
【００３８】
【数５】
0006418888.tif 000006
【００３９】
ここで、ｉはレンズ群ＬＡ内における物体側から順につけたレンズ番号を示しており、ΔθｇＦＡｉとνＡｉはレンズ群ＬＡにおける各レンズの材料の部分分散比差とアッべ数を、φＡｉは各レンズのパワーを示す。また、ｊはレンズ群ＬＢ内における物体側から順につけたレンズ番号を示しており、ΔθｇＦＢｊとνＢｊはレンズ群ＬＢにおける各レンズの材料の部分分散比差とアッべ数を、φＢｊは各レンズのパワーを示す。
【００４０】
さらに、アッベ数νＡｉ，νＢｊと部分分散比差ΔθｇＦＡｉ，ΔθｇＦＢｊは、次に示す式で定義される。
νＡｉ＝（ＮｄＡｉ−１）／（ＮＦＡｉ−ＮＣＡｉ）、ただしｉ番目の光学素子が回折光学素子であればνＡｉ＝−３．４５３
νＢｊ＝（ＮｄＢｊ−１）／（ＮＦＢｊ−ＮＣＢｊ）、ただしｊ番目の光学素子が回折光学素子であればνＢｊ＝−３．４５３
θｇＦＡｉ＝（ＮｇＡｉ−ＮＦＡｉ）／（ＮＦＡｉ−ＮＣＡｉ）、ただしｉ番目の光学素子が回折光学素子であればθｇＦＡｉ＝０．２９５６
θｇＦＢｊ＝（ＮｇＢｊ−ＮＦＢｊ）／（ＮＦＢｊ−ＮＣＢｊ）、ただしｊ番目の光学素子が回折光学素子であればθｇＦＢｊ＝０．２９５６
ΔθｇＦＡｉ＝θｇＦＡｉ−（−１．６１７８３×１０−３×νＡｉ＋０．６４１４６）、ただしｉ番目の光学素子が回折光学素子であればΔθｇＦＡｉ＝−０．３５１４５
ΔθｇＦＢｊ＝θｇＦＢｊ−（−１．６１７８３×１０−３×νＢｊ＋０．６４１４６）、ただしｊ番目の光学素子が回折光学素子であればΔθｇＦＢｊ＝−０．３５１４５
ここで、ＮｄＡｉ，ＮｄＢｊは各レンズを構成する材料のｄ線における屈折率、ＮｇＡｉ，ＮｇＢｊはｇ線における屈折率、ＮＣＡｉ，ＮＣＢｊはＣ線における屈折率、ＮＦＡｉ，ＮＦＢｊはＦ線における屈折率、θｇＦＡｉ，θｇＦＢｊは部分分散比を示す。
【００４１】
以上の構成で、望遠端においてレンズ群ＬＡとレンズ群ＬＢが近づいたときに、レンズ群ＬＡとレンズ群ＬＢで色収差補正力をキャンセルすることができる。
【００４２】
次に、各条件式の技術的意味について詳細に説明する。
【００４３】
条件式（１）はレンズ群ＬＡとレンズ群ＬＢの色収差補正力の大きさに関する。条件式（１）の上限値又は下限値を超えると、レンズ群ＬＡとレンズ群ＬＢの色収差補正力がどちらか偏って弱くなりすぎるか、両方とも弱くなりすぎる。この場合、特に望遠端で軸上色収差が残存する。
【００４４】
さらに好ましくは、条件式（１）の上限値と下限値を次の如く設定する。
【００４５】
−１．０×１０−４＜ＳＵＭ（Ａ）×ＳＵＭ（Ｂ）／（φｗ×φｔ）＜−７．５×１０−７            ・・・（１ａ）
さらに好ましくは、条件式（１ａ）の上限値と下限値を次の如く設定する    −５．０×１０−５＜ＳＵＭ（Ａ）×ＳＵＭ（Ｂ）／（φｗ×φｔ）＜−１．０×１０−６      ・・・（１ｂ）
条件式（２）はレンズ群ＬＡとレンズ群ＬＢの色収差補正力のバランスに関する。
【００４６】
条件式（２）の上限値または下限値を超えると、レンズ群ＬＡの色収差補正力がレンズ群ＬＢのそれより大きくなりすぎるか小さくなりすぎる。この場合、望遠端におけるレンズ群ＬＡとレンズ群ＬＢでの軸上色収差補正のキャンセル関係が崩れてしまうため、望遠端における軸上色収差が残存する。
【００４７】
さらに好ましくは、条件式（２）の上限値と下限値を次の如く設定する
０．５＜│ＳＵＭ（Ａ）／ＳＵＭ（Ｂ）│＜１．３            ・・・（２ａ）
さらに好ましくは、条件式（２ａ）の上限値と下限値を次の如く設定する
０．５３＜│ＳＵＭ（Ａ）／ＳＵＭ（Ｂ）│＜１．３            ・・・（２ｂ）
上述のような条件を満たすことで色収差補正についての課題は解決できるが、コンパクト化という課題を解決するためには各群のパワー配置を適切にする必要がある。特に、最も物体側に正の屈折力を有するレンズ群を有するズームレンズにおいては、開口絞りＳＰよりも物体側の負の屈折力を有するレンズ群の焦点距離を適切にしなければ、ズーミングの際の各群の移動距離が長くなり全系が大きくなる。そこで条件式（３）として、レンズ群ＬＡのパワーを規定する。レンズ群ＬＡのパワーがこの条件式範囲内であれば、収差補正の向上とズームレンズのコンパクト化の両立が可能となる。
【００４８】
条件式（３）の上限値を超えると、レンズ群ＬＡのパワーが強くなりすぎる。そうするとパワー配置の観点ではコンパクト化に有利となるが、収差補正のためのレンズ枚数が増加してしまう。そのため、結果としてレンズ群ＬＡの群厚が増加してしまい、ズームレンズ全体のコンパクト化を図ることができない。
【００４９】
また条件式（３）の下限値を超えると、レンズ群ＬＡのパワーが弱くなりすぎる。そうするとレンズの曲率半径が大きくなるため広角端の非点収差補正等に有利であるが、パワー配置の観点ではズーミングの際の移動量が増加してしまう。そのため、この場合も、ズームレンズ全体のコンパクト化が難しくなる。
【００５０】
さらに好ましくは、条件式（３）の上限値と下限値を次の如く設定する。
【００５１】
【数６】
0006418888.tif 000007
【００５２】
さらに好ましくは、条件式（３ａ）の上限値と下限値を次の如く設定する。
【００５３】
【数７】
0006418888.tif 000008
【００５４】
条件式（３ａ）や条件式（３ｂ）は、ズームレンズ全体のコンパクト化の面でより有利な範囲に限定したものである。
【００５５】
上述のような条件を満たすことで目的とするズームレンズは達成されるが、さらに好ましくは次に述べる条件のうち少なくとも１つを満足するのが良く、これによれば高い結像性能を有したズームレンズが容易に得られる。
【００５６】
レンズ群ＬＢ内の正レンズにおける材料の屈折率をＮＢＰ、レンズ群ＬＢよりも像側の正レンズにおける材料の屈折率をＮＰとする。レンズ群ＬＢのパワーをφＢ、レンズ群Ｌ１のパワーをφ１とする。また、レンズ群ＬＡの色収差補正力をＳＵＭ（Ａ）、広角端での全系のパワーをφｗとする。広角端において、レンズ群ＬＡの最も物体側のレンズの物体側面頂点とレンズ群ＬＢの最も像側のレンズの像側面頂点の光軸上における距離をｄｗＡＢとする。望遠端において、レンズ群ＬＡの最も物体側のレンズの物体側面頂点とレンズ群ＬＢの最も像側のレンズの像側面頂点の光軸上における距離をｄｔＡＢとする。広角端における最も物体側のレンズの物体側面頂点と像面までの距離をＬｗ、望遠端における最も物体側のレンズの物体側面頂点と像面までの距離をＬｔとする。このとき、下記の条件式を少なくとも一つ満たすことが好ましい。
【００５７】
１．５０＜ＮＢＰ＜２．００                              ・・・（４）
１．５０＜ＮＰ＜２．００                                ・・・（５）
【００５８】
【数８】
0006418888.tif 000009
【００５９】
【数９】
0006418888.tif 000010
【００６０】
−１．０×１０−２＜ＳＵＭ（Ａ）／φｗ＜−１．０×１０−４      ・・・（８）
０．１０＜ｄｗＡＢ／Ｌｗ＜０．５０                          ・・・（９）
０．０５＜ｄｔＡＢ／Ｌｔ＜０．２５                          ・・・（１０）
以下にこれらの式の技術的意味を説明をする。
【００６１】
各実施例では、レンズ群ＬＢ内に通常の硝材ではなく正のパワーを有する回折光学素子ＤＯＥを配置する。これによれば、大きな色収差補正力を有することの他、回折光学素子ＤＯＥの周辺に位置するレンズのガラス材料の選択肢が増える。前述した従来例ではこの広角端の軸上色収差補正のために、開口絞り付近の正レンズには低分散材料を使用している。一般的に、低分散材料は低分散になるほど屈折率が低い。色収差補正のみを考えた場合は低分散であることが好ましいが、球面収差やペッツバール和を考慮すると低屈折率は好ましくない。そこでレンズ群ＬＢ内に回折光学素子ＤＯＥを配置すれば、低分散という特性の条件に縛られること無くガラス材料を選択できるようになるため、色収差だけでなく、球面収差や像面湾曲の補正も可能になる。具体的には、条件式（４）や条件式（５）を満たすガラス材料を用いる。
【００６２】
条件式（４）はレンズ群ＬＢ内の正レンズにおける材料の屈折率に関し、条件式（５）はレンズ群ＬＢよりも像側の正レンズにおける材料の屈折率に関する。
【００６３】
条件式（４）や条件式（５）の上限値を超えると、レンズ群ＬＢ内の正レンズの屈折率が大きくなりすぎる。この場合、同じパワーにすると曲率半径が大きくなるため球面収差補正については有利であるが、ペッツバール和が過補正となってしまうため像面湾曲が増大してしまう。また、条件式（４）や条件式（５）の下限値を超えると、レンズ群ＬＢ内の正レンズの屈折率が小さくなりすぎる。この場合、同じパワーにすると曲率半径が小さくなってしまい、球面収差が増大してしまう。また屈折率が小さいことからペッツバール和が正の方向に悪化してしまい、像面湾曲も増大してしまう。
【００６４】
さらに好ましくは、条件式（４）または条件式（５）の上限値と下限値を次の如く設定する。
【００６５】
１．５５＜ＮＢＰ＜２．００            ・・・（４ａ）
１．５５＜ＮＰ＜２．００            ・・・（５ａ）
さらに好ましくは、条件式（４ａ）または条件式（５ａ）の上限値と下限値を次の如く設定する。
【００６６】
１．６０＜ＮＢＰ＜２．００            ・・・（４ｂ）
１．６０＜ＮＰ＜２．００            ・・・（５ｂ）
条件式（４ａ）、（４ｂ）、（５ａ）、（５ｂ）は、球面収差や像面収差の補正の面でより有利な範囲を限定したものである。なお、レンズ群ＬＢ内の少なくとも１枚の正レンズまたはレンズ群ＬＢよりも像側の少なくとも１枚の正レンズが上記の条件を満たせばよい。
【００６７】
条件式（６）はレンズ群ＬＢのパワーに関する。
【００６８】
条件式（６）の上限値を超えると、レンズ群ＬＢのパワーが強くなりすぎる。そうするとパワー配置の観点ではコンパクト化に有利となるが、収差補正のためのレンズ枚数が増加してしまう。そのため、結果としてレンズ群ＬＢの群厚が増加してしまい、ズームレンズ全体のコンパクト化が難しくなる。
【００６９】
また条件式（６）の下限値を超えると、レンズ群ＬＢのパワーが弱くなりすぎる。そうするとレンズの曲率半径が大きくなるため広角端の非点収差補正等に有利であるが、パワー配置の観点ではズーミングの際の各群の移動量が増えてしまう。従って、この場合もズームレンズ全体のコンパクト化が難しくなる。
【００７０】
さらに好ましくは、条件式（６）の上限値と下限値を次の如く設定する。
【００７１】
【数１０】
0006418888.tif 000011
【００７２】
さらに好ましくは、条件式（６ａ）の上限値と下限値を次の如く設定する。
【００７３】
【数１１】
0006418888.tif 000012
【００７４】
条件式（６ａ）や条件式（６ｂ）は、ズームレンズ全体のコンパクト化の面でより有利な範囲に限定したものである。
【００７５】
条件式（７）はレンズ群Ｌ１のパワーに関する。
【００７６】
条件式（７）の上限値を超えると、レンズ群Ｌ１のパワーが強くなりすぎる。そうするとパワー配置の観点ではコンパクト化に有利であるが、収差補正のためのレンズ枚数が増加してしまう。そのため、結果としてレンズ群Ｌ１の群厚が増加してしまい、ズームレンズ全体のコンパクト化を図ることができない。
【００７７】
また条件式（７）の下限値を超えると、レンズ群Ｌ１のパワーが弱くなりすぎる。そうするとレンズの曲率半径が大きくなるため望遠端の球面収差補正等に有利であるが、パワー配置の観点では光線の収斂力が弱くなる。そのため、この場合もズームレンズ全体のコンパクト化が難しくなる。
【００７８】
さらに好ましくは、条件式（７）の上限値と下限値を次の如く設定する。
【００７９】
【数１２】
0006418888.tif 000013
【００８０】
さらに好ましくは、条件式（７ａ）の上限値と下限値を次の如く設定する。
【００８１】
【数１３】
0006418888.tif 000014
【００８２】
条件式（７ａ）や条件式（７ｂ）は、ズームレンズ全体のコンパクト化の面でより有利な範囲に限定したものである。
【００８３】
条件式（８）はレンズ群ＬＡの色収差補正力の大きさに関する。
【００８４】
条件式（８）の上限値を超えると、レンズ群ＬＡの色収差補正力が弱くなりすぎる。この場合、広角端での倍率色収差が残存してしまい、全系において色収差の補正が困難となる。また、条件式（８）の下限値を超えると、レンズ群ＬＡの色収差補正力が強くなりすぎる。この場合、広角端での倍率色収差補正に関しては有利であるが、望遠端の軸上色収差が残存してしまい、全系において色収差の補正が困難となる。
【００８５】
さらに好ましくは、条件式（８）の上限値と下限値を次の如く設定する。
【００８６】
−８．０×１０−３＜ＳＵＭ（Ａ）／φｗ＜−５．０×１０−４      ・・・（８ａ）
さらに好ましくは、条件式（８ａ）の上限値と下限値を次の如く設定する。
【００８７】
−４．０×１０−３＜ＳＵＭ（Ａ）／φｗ＜−７．０×１０−４      ・・・（８ｂ）
条件式（８ａ）や条件式（８ｂ）は、全系における色収差の補正の面でより有利な範囲に限定したものである。
【００８８】
条件式（９）と条件式（１０）は、広角端および望遠端におけるレンズ群ＬＡとレンズ群ＬＢとの位置関係に関する。
【００８９】
条件式（９）の上限値を超えると、広角端におけるレンズ群ＬＡとレンズ群ＬＢの間の距離が長くなりすぎる。この場合、ズーミングの際に移動できる距離を長くできるため収差補正については有利であるが、コンパクト化が難しくなる。また条件式（９）の下限値を超えると、広角端におけるレンズ群ＬＡとレンズ群ＬＢの間の距離が短くなりすぎる。そうすると広角端でもレンズ群ＬＢの影響を受けてしまい、効率的に広角端での倍率色収差を補正できなくなる。
【００９０】
条件式（１０）の上限値を超えると、望遠端におけるレンズ群ＬＡとレンズ群ＬＢの間の距離が長くなりすぎる。この場合、レンズ群ＬＡとレンズ群ＬＢとで軸上色収差補正のキャンセル関係を作ることが難しくなる。また、条件式（１０）の下限値を超えると、レンズ群ＬＡとレンズ群ＬＢとの群厚の総和が小さくなりすぎる。そうすると、コンパクト化には有利であるが、レンズ枚数による収差補正の自由度が低く、非点収差や球面収差の補正が困難になる。
【００９１】
さらに好ましくは、条件式（９）または条件式（１０）の上限値と下限値を次の如く設定する。
【００９２】
０．１１＜ｄｗＡＢ／Ｌｗ＜０．４０            ・・・（９ａ）
０．０５＜ｄｔＡＢ／Ｌｔ＜０．２２            ・・・（１０ａ）
さらに好ましくは、条件式（９ａ）または条件式（１０ａ）の上限値と下限値を次の如く設定する。
【００９３】
０．１３＜ｄｗＡＢ／Ｌｗ＜０．３５            ・・・（９ｂ）
０．０６＜ｄｔＡＢ／Ｌｔ＜０．１９            ・・・（１０ｂ）
条件式（９ａ）、（９ｂ）、（１０ａ）、（１０ｂ）は、ズームレンズのコンパクト化と収差の補正の両立の面でより有利な範囲を限定したものである。
【００９４】
また、各実施例では、レンズ群ＬＢ内もしくはレンズ群ＬＢと隣接する位置に開口絞りＳＰを配置する。開口絞りＳＰをレンズ群ＬＢ付近に配置すれば、望遠端での軸外主光線がレンズ群ＬＢの中心付近を通過する。そのため、望遠端において軸外主光線による倍率色収差への影響が少なくなり、レンズ群Ｌ１での色収差補正効果の低下を防ぐことができる。また、広角端ではレンズ群ＬＢ内で軸上近軸光線が光軸から高い位置を通るため、広角端における軸上色収差も効率よく補正できる。  以上のように各実施例によれば、高い結像性能を有したコンパクトなズームレンズを容易に得ることができる。
【００９５】
回折格子の形状は、その２ｉ次項の位相係数をＣ２ｉとしたとき、光軸からの距離Ｈにおける位相φ（Ｈ）は次式で表される。ただしｍは回折次数、λ０は基準波長である。
【００９６】
【数１４】
0006418888.tif 000015
【００９７】
一般に、レンズ、プリズム等の屈折光学材料のアッベ数（分散値）νｄは、ｄ、Ｃ、Ｆ線の各波長における屈折力をＮｄ、ＮＣ、ＮＦとしたとき、次式で表される。
【００９８】
νｄ＝（Ｎｄ−１）／（ＮＦ−ＮＣ）＞０      ・・・（ｂ）
一方、回折光学部のアッベ数νｄはｄ、Ｃ、Ｆ線の各波長をλｄ、λＣ、λＦとしたとき、
νｄ＝λｄ／（λＦ−λＣ）                  ・・・（ｃ）
と表され、νｄ＝−３．４５３となる。
【００９９】
また回折光学部Ｄの部分分散比θｇＦは、
θｇＦ＝（λｇ−λＦ）／（λＦ−λＣ）        ・・・（ｄ）
と表され、θｇＦ＝０．２９５６となる。
【０１００】
そして回折光学部面Ｄの部分分散比差は、
ΔθｇＦ＝θｇＦ−（−１．６１７８３×１０−３×νｄ＋０．６４１４６）      ・・・（ｅ）
の定義式より、ΔθｇＦ＝−０．３５１４５となる。
【０１０１】
これにより、回折光学部Ｄの任意波長における分散性は、屈折光学素子と逆作用を有する。また、回折光学部Ｄの基準波長における近軸的な一時回折光（ｍ  ＝  １）の屈折力φＤは、回折光学部Ｄの位相を表す前式（ａ）から２次項の係数をＣ２とした時、φＤ＝  −２・Ｃ２と表される。これより回折光学素子ＤＯＥの回折成分のみによる焦点距離ｆＤＯＥは下記のようになる。
【０１０２】
【数１５】
0006418888.tif 000016
【０１０３】
さらに、任意波長をλ、基準波長をλ０としたとき、任意波長の基準波長に対する
屈折力変化は、次式となる。
【０１０４】
φＤ’＝（λ／λ０）×（−２・Ｃ２）            ・・・（ｇ）
これにより、回折光学部Ｄの特徴として、前式（ａ）の位相係数Ｃ２を変化させることにより、弱い近軸屈折力変化で大きな分散性が得られる。これは、色収差以外の諸収差に大きな影響を与えることなく、色収差の補正を行うことを意味する。また位相係数Ｃ４以降の高次数の係数において、回折光学部Ｄの光線入射高の変化に対する屈折力変化は非球面と類似したものすることができる。それと同時に、光線入射高の変化に応じて基準波長に対し任意波長の屈折力変化を与えることができる。このため、倍率色収差の補正に有効である。
【０１０５】
次に各実施例ごとの詳細な構成について説明する。
【０１０６】
［実施例１］
図１（Ａ）、（Ｂ）の実施例１のズームレンズＬ０の構成について説明する。実施例１のズームレンズＬ０は物体側から順に正の屈折力を有する第１レンズ群Ｌ１、負の屈折力を有する第２レンズ群Ｌ２、正の屈折力を有する第３レンズ群Ｌ３を有する。第３レンズ群Ｌ３の像側には、負の屈折力を有する第４レンズ群Ｌ４、更に正の屈折力を有する第５レンズ群Ｌ５、負の屈折力を有する第６レンズ群Ｌ６、負の屈折力を有する第７レンズ群Ｌ７が続いて構成されている。レンズ群ＬＡは第２レンズ群Ｌ２に対応する。レンズ群ＬＢは第３レンズ群Ｌ３に対応する。
【０１０７】
第３レンズ群Ｌ３内の接合レンズは、回折光学素子ＤＯＥを構成する。回折光学素子ＤＯＥを構成する回折光学部Ｄは、接合レンズの接合面に配置される。
【０１０８】
以下に、広角端から望遠端へのズーミングにおける各レンズ群の動きについて説明する。
【０１０９】
ズーミングの際に第７レンズ群Ｌ７は固定であり、それ以外のレンズ群が移動することでズーミングを行う。第１レンズ群Ｌ１と第２レンズ群Ｌ２は、互いの間隔が広くなるように、第１レンズ群Ｌ１は物体側へ、第２レンズ群Ｌ２は像側へ移動する。第３レンズ群Ｌ３と第４レンズ群Ｌ４は、一度像側に移動した後、物体側へ移動し、望遠端では広角端のときの位置よりも物体側に位置する。第５レンズ群Ｌ５と第６レンズ群Ｌ６は、物体側に互いの間隔を狭めながら移動する。開口絞りＳＰは、第３レンズ群Ｌ３の像側に隣接して配置されており、ズーミングの際に第３レンズ群Ｌ３と一体に移動する。なお、無限遠物体から近距離物体へのフォーカシングは、第６レンズ群Ｌ６を像面側へ光軸上を移動させ、かつ、第４レンズ群Ｌ４を物体側に光軸上移動させフローティングすることで行う。非球面は第５レンズ群Ｌ５の最も像側の正レンズの物体側の面と、第６レンズ群Ｌ６の最も像側の負レンズの像側の面に配置される。
【０１１０】
［実施例２］
図２（Ａ）、（Ｂ）の実施例２のズームレンズＬ０について説明する。実施例２のズームレンズＬ０は、物体側から順に正の屈折力を有する第１レンズ群Ｌ１、正の屈折力を有する第２レンズ群Ｌ２、負の屈折力を有する第３レンズ群Ｌ３を有する。第３レンズ群Ｌ３の像側には、正の屈折力を有する第４レンズ群Ｌ４、更に正の屈折力を有する第５レンズ群Ｌ５と続いて構成されている。レンズ群ＬＡは、第３レンズ群Ｌ３に対応する。レンズ群ＬＢは、第４レンズ群Ｌ４に対応する。
【０１１１】
第４レンズ群Ｌ４内の接合レンズは、回折光学素子ＤＯＥを構成する。回折光学素子ＤＯＥを構成する回折光学部Ｄは、接合レンズの接合面に配置される。
【０１１２】
以下に、広角端から望遠端へのズーミングにおける各レンズ群の動きについて説明する。
【０１１３】
ズーミングの際に、第１レンズ群Ｌ１と第５レンズ群Ｌ５は固定であり、それ以外のレンズ群が移動することでズーミングを行う。第２レンズ群Ｌ２は、第１レンズ群Ｌ１および第３レンズ群Ｌ３に対する間隔が広くなるように移動する。第３レンズ群Ｌ３は、第４レンズ群Ｌ４との間隔が狭くなるよう移動する。第４レンズ群Ｌ４は、一度像側に移動した後、物体側に移動し、望遠端では広角端のときの位置よりも像側に位置する。開口絞りＳＰは、第４レンズ群Ｌ４と第５レンズ群Ｌ５との間に配置されており、ズーミングの際に第５レンズ群Ｌ５と一体で固定されている。なお、無限遠物体から近距離物体へのフォーカシングは、第２レンズ群Ｌ２を物体側へ光軸上を移動させることで行う。
【０１１４】
［実施例３］
図３（Ａ）、（Ｂ）の実施例３のズームレンズＬ０について説明する。実施例３のズームレンズＬ０は、物体側から順に正の屈折力を有する第１レンズ群Ｌ１、正の屈折力を有する第２レンズ群Ｌ２、負の屈折力を有する第３レンズ群Ｌ３を有する。第３レンズ群Ｌ３の像側には、正の屈折力を有する第４レンズ群Ｌ４、更に正の屈折力を有する第５レンズ群Ｌ５と続いて構成されている。レンズ群ＬＡは、第３レンズ群Ｌ３に対応する。レンズ群ＬＢは、第４レンズ群Ｌ４に対応する。
【０１１５】
第４レンズ群Ｌ４内の接合レンズは、回折光学素子ＤＯＥを構成する。回折光学素子ＤＯＥを構成する回折光学部Ｄは、接合レンズの接合面に配置される。
【０１１６】
以下に、広角端から望遠端へのズーミングにおける各レンズ群の動きについて説明する。
【０１１７】
ズーミングの際に、第１レンズ群Ｌ１と第５レンズ群Ｌ５は固定であり、それ以外のレンズ群が移動することでズーミングを行う。第２レンズ群Ｌ２は、第１レンズ群Ｌ１および第３レンズ群Ｌ３に対する間隔が広くなるように移動する。第３レンズ群Ｌ３は、第４レンズ群Ｌ４との間隔が狭くなるよう移動する。第４レンズ群Ｌ４は、一度像側に移動した後、物体側に移動し、望遠端では広角端のときの位置よりも像側に位置する。開口絞りＳＰは、第４レンズ群Ｌ４と第５レンズ群Ｌ５との間に配置されており、ズーミングの際に第５レンズ群Ｌ５と一体で固定されている。なお、無限遠物体から近距離物体へのフォーカシングは、第２レンズ群Ｌ２を物体側へ光軸上を移動させることで行う。
【０１１８】
［実施例４］
図４（Ａ）、（Ｂ）の実施例４のズームレンズＬ０について説明する。実施例４のズームレンズＬ０は、物体側から順に正の屈折力を有する第１レンズ群Ｌ１、負の屈折力を有する第２レンズ群Ｌ２、正の屈折力を有する第３レンズ群Ｌ３を有する。第３レンズ群Ｌ３の像側には、負の屈折力を有する第４レンズ群Ｌ４、更に正の屈折力を有する第５レンズ群Ｌ５、負の屈折力を有する第６レンズ群Ｌ６、正の屈折力を有する第７レンズ群Ｌ７と続いて構成されている。レンズ群ＬＡは、第２レンズ群Ｌ２に対応する。レンズ群ＬＢは、第３レンズ群Ｌ３に対応する。
【０１１９】
第１レンズ群内と第３レンズ群内の接合レンズは、回折光学素子ＤＯＥを構成している。回折光学素子ＤＯＥを構成する回折光学部Ｄは、接合レンズの接合面に配置される。
【０１２０】
以下に、広角端から望遠端へのズーミングにおける各レンズ群の動きについて説明する。
【０１２１】
ズーミングの際に、第７レンズ群Ｌ７は固定であり、それ以外のレンズ群が移動することでズーミングを行う。第１レンズ群Ｌ１と第２レンズ群Ｌ２は互いの間隔が広くなるように、第１レンズ群Ｌ１は物体側へ、第２レンズ群Ｌ２は像側へ移動する。第３レンズ群Ｌ３と第４レンズ群Ｌ４は、一度像側に移動した後、物体側へ移動し、望遠端では広角端のときの位置よりも物体側に位置する。第５レンズ群Ｌ５と第６レンズ群Ｌ６は、物体側に互いの間隔を狭めながら移動する。開口絞りＳＰは、第３レンズ群Ｌ３の像側に配置されており、ズーミングの際に第３レンズ群Ｌ３と一体で移動する。なお、無限遠物体から近距離物体へのフォーカシングは、第６レンズ群Ｌ６を像面側へ光軸上を移動させ、かつ第４レンズ群Ｌ４を物体側に光軸上移動させフローティングすることで行う。非球面は第５レンズ群Ｌ５の最も像側の正レンズの物体側の面と、第６レンズ群Ｌ６の最も像側の負レンズの像側の面に配置される。
【０１２２】
以下に、本発明の実施例１〜４に対応する数値実施例１〜４を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。θｇＦは部分分散比、ΔθｇＦは部分分散比差である。ｆ、Ｆｎｏ、２ωはそれぞれ無限遠物体に焦点を合わせたときの全系の焦点距離、Ｆナンバー、画角（度）を表す。ＢＦは空気換算値でのバックフォーカスである。
【０１２３】
回折光学素子（回折面）は前述（ａ）式の位相関数の位相係数を与えることで表す。非球面形状は光軸方向にＸ軸、光軸と垂直方向にＨ軸、光の進行方向を正、Ｒを近軸曲率半径、ｋを離心率、Ａ４、Ａ６、Ａ８、Ａ１０を各々非球面係数としたとき、下記の式で表す。
【０１２４】
【数１５】
0006418888.tif 000017
【０１２５】
また例えば「ｅ−Ｚ」の表示は「１０−Ｚ」を意味する。そして、前述の各条件式と数値実施例における諸数値との関係を表１に示す。また実施例３と実施例４に使用している樹脂材料についての光学特性を表２に示す。
【０１２６】
（数値実施例１）
f= 102.30〜200.12〜389.25mm  Fno=4.63〜5.19〜5.83  2ω=23.88〜12.34〜6.36°
面番号       r        d      nd         vd       有効径      θgF      ΔθgF
1        171.882    2.80   1.77250    49.6       66.77
2         79.599    0.11                         65.63
3         78.630    9.53   1.43387    95.1       65.73
4      -1596.930    0.20                         65.71
5         84.993    9.10   1.43387    95.1       65.52
6      -1000.242  (可変)                         64.98
7       -272.034    1.40   1.43387    95.1       27.57    0.53728     0.04975
8         43.081    3.91                         26.58
9        -55.779    1.40   1.49700    81.5       26.57    0.53859     0.02916
10         43.687    3.21   1.83400    37.2       27.10    0.57754    -0.00379
11         97.848  (可変)                         27.03
12        135.059    6.04   1.79952    42.2       28.40    0.56735    -0.00578
13(回折)  -34.674    2.00   1.88300    40.8       28.55    0.56694    -0.00857
14        321.746    0.20                         29.10
15         80.142    3.76   1.77250    49.6       29.45    0.55234    -0.00885
16       -121.867    1.33                         29.43
17(絞り)    ∞     (可変)                         28.96
18        -42.831    1.50   1.77250    49.6       26.79
19       -104.477  (可変)                         27.26
20         72.643    4.37   1.62230    53.2       29.04
21        -70.824    0.15                         28.91
22       -112.811    1.60   1.84666    23.8       28.59
23         42.788    1.10                         28.05
24         39.417    5.65   1.62004    36.3       28.63
25        -90.108    0.15                         28.52
26(非球面) 81.104    4.03   1.62041    60.3       27.80
27       -152.783  (可変)                         27.11
28         86.310    1.35   1.88300    40.8       21.75
29         22.449    1.25                         20.89
30         28.514    5.66   1.64769    33.8       21.21
31        -34.579    0.46                         21.09
32        -30.943    1.35   1.78590    44.2       20.93
33(非球面) 70.556  (可変)                         21.04
34         63.755    6.24   1.63980    34.5       28.57
35        -40.284    1.50   1.77250    49.6       28.48
36         98.439                                 28.55
像面        ∞   
非球面データ
第13面(回折面)
C 2=-7.78258e-005  C 4= 1.47143e-008  C 6=-1.65046e-011  C 8=-3.59629e-013  
C10= 3.57990e-016  
第26面
K  = 0.00000e+000  A 4=-3.30987e-006  A 6=-1.30302e-009  A 8=-5.49065e-012 
A10= 2.13555e-014  A12=-4.11292e-017  
第33面
K  = 0.00000e+000  A 4=-7.74827e-006  A 6=-3.47570e-009  A 8=-7.69704e-011 
A10= 3.08431e-013  A12=-3.20801e-016  
各種データ
ズーム比      3.81 
焦点距離     102.30   200.12   389.25   300.16   135.10  
Fナンバー      4.63     5.19     5.83     5.58     4.85  
画角          11.94     6.17     3.18     4.12     9.10  
像高          21.64    21.64    21.64    21.64    21.64  
レンズ全長   220.03   258.61   278.79   272.33   239.20  
BF            57.98    57.98    57.98    57.98    57.98  
d 6            9.06    57.33    89.55    77.03    31.97  
d11           25.49    16.83     2.00     9.30    22.33  
d17           12.51    14.01    12.37    14.09    13.21  
d19           15.81     6.99     1.83     1.77    12.11  
d27           13.96    10.07     1.22     5.66    12.72  
d33            3.87    14.06    32.50    25.16     7.53  
最至近位置(無限遠時を基準とした像面から1800mm)での各群の間隔
d 6            9.06    57.33    89.55    77.03    31.97  
d11           25.49    16.83     2.00     9.30    22.33  
d17           10.61    12.11    10.46    12.18    11.30  
d19           17.72     8.89     3.73     3.68    14.02  
d27           15.11    13.35    10.00    11.57    14.50  
d33            2.72    10.78    23.72    19.25     5.75  
入射瞳位置    61.30   187.40   352.13   279.80   108.22  
射出瞳位置   -40.99   -44.48   -55.01   -50.29   -41.94  
前側主点位置  57.85    -3.33  -599.58  -252.19    60.64  
後側主点位置 -44.32  -142.14  -331.27  -242.18   -77.12  
ズームレンズ群データ
群  始面    焦点距離  レンズ構成長  前側主点位置  後側主点位置
1    1     164.40        21.74         7.63         -7.38
2    7     -45.32         9.92         3.33         -4.04
3   12      60.65        13.33         4.09         -4.13
4   18     -94.97         1.50        -0.59         -1.45
5   20      42.36        17.05         7.27         -4.09
6   28     -41.73        10.07         4.26         -2.09
7   34    -1573.70        7.74        77.27         69.21
ΔθgF＝θgF−（−1.61783×10-3×νｄ＋0.64146）
なる式で定義されるものである。
【０１２７】
（数値実施例２）
f= 72.15〜134.00〜193.98mm  Fno=2.91〜2.91〜2.91  2ω=33.38〜18.34〜12.72°
面番号       r        d      nd         vd       有効径      θgF      ΔθgF
1        199.810    2.80   1.80610    40.9       72.20
2         97.210    0.50                         69.77
3        104.402    8.36   1.49700    81.5       69.77
4       -699.704    0.15                         69.29
5         73.932    5.79   1.49700    81.5       65.18
6        160.744  (可変)                         64.64
7         57.778    2.20   1.71736    29.5       53.45
8         44.793    1.00                         51.17
9         49.226   10.25   1.49700    81.5       51.15
10      -3778.557  (可変)                         49.74
11       1041.496    1.40   1.59282    68.6       35.69    0.54461     0.01428
12         28.837    7.12                         31.33
13        -83.062    1.40   1.49700    81.5       31.33    0.53859     0.02916
14         33.243    4.78   1.85026    32.3       32.25    0.59339     0.00415
15        117.935    4.29                         32.07
16        -43.510    1.40   1.43875    94.9       32.07    0.53463     0.04681
17       2688.431  (可変)                         33.25
18         96.470    4.31   1.72916    54.7       34.68    0.54423    -0.00880
19       -122.986    0.15                         34.78
20         88.680    7.23   1.64850    53.0       34.48    0.55437    -0.00130
21(回折)  -42.668    2.50   1.88300    40.8       34.05    0.56694    -0.00857
22        343.494  (可変)                         33.54
23(絞り)    ∞       0.40                         32.97
24         50.966    4.90   1.64769    33.8       32.77
25       -670.585    0.20                         32.17
26         60.733    2.55   1.64769    33.8       30.88
27         77.632    1.00                         29.81
28        223.901    1.60   1.84666    23.8       29.78
29         29.368    5.69   1.65160    58.5       27.94
30       -618.052    3.69                         27.30
31         64.214    3.89   1.80809    22.8       26.76
32       -179.354    1.40   1.65412    39.7       26.35
33         28.720    4.12                         25.19
34        -83.348    1.45   1.72916    54.7       25.25
35        104.085    3.47                         26.12
36        142.694    3.56   1.65160    58.5       28.44
37        -78.256    1.00                         28.91
38        150.527    8.24   1.63854    55.4       29.76
39        -23.130    2.00   1.88300    40.8       29.94
40        192.979    4.48                         32.27
41         63.666    5.24   1.63980    34.5       37.08
42       -176.965                                 37.32
像面        ∞   
非球面データ
第21面(回折面)
C 2=-1.16255e-004  C 4= 1.12826e-007  C 6=-2.43691e-012  C 8=-1.28988e-012  
C10= 1.57430e-015  
各種データ
ズーム比      2.69 
焦点距離      72.15   134.00   193.98    99.00   149.00  
Fナンバー      2.91     2.91     2.91     2.91     2.91  
画角          16.69     9.17     6.36    12.33     8.26  
像高          21.64    21.64    21.64    21.64    21.64  
レンズ全長   223.50   223.50   223.50   223.50   223.50  
BF            45.35    45.35    45.35    45.35    45.35  
d 6           10.78    18.16    29.52    11.32    20.85  
d10            1.58    17.67    21.13    12.08    19.05  
d17           31.83    15.43     1.00    24.45    11.68  
d22            9.45     2.39     2.00     5.80     2.06  
d42           45.35    45.35    45.35    45.35    45.35  
最至近位置(無限遠時を基準とした像面から1400mm)での各群の間隔
d 6            2.00     8.93    19.53     2.51    11.45  
d10           10.36    26.90    31.11    20.89    28.45  
d17           31.83    15.43     1.00    24.45    11.68  
d22            9.45     2.39     2.00     5.80     2.06  
d42           45.35    45.35    45.35    45.35    45.35  
入射瞳位置   101.21   192.49   239.73   145.63   207.85  
射出瞳位置   -52.21   -52.21   -52.21   -52.21   -52.21  
前側主点位置 120.01   142.45    48.04   144.18   129.30  
後側主点位置 -26.80   -88.65  -148.63   -53.65  -103.65  
ズームレンズ群データ
群  始面    焦点距離  レンズ構成長  前側主点位置  後側主点位置
1    1     202.50        17.60         3.93         -7.68
2    7     148.17        13.45         0.58         -8.58
3   11     -27.44        20.38         6.01         -9.28
4   18      73.39        14.19        -1.71         -9.69
5   23     114.11        58.88         5.81        -46.09
単レンズデータ
レンズ  始面  焦点距離
1       1   -237.75
2       3    183.42
3       5    269.48
4       7   -298.99
5       9     97.86
6      11    -50.05
7      13    -47.58
8      14     53.07
9      16    -97.57
10      18     74.76
11      20     45.41(回折光学素子を除いたレンズ単体の値)
12      21    -42.85(回折光学素子を除いたレンズ単体の値)
13      24     73.33
14      26    406.65
15      28    -40.07
16      29     43.18
17      31     58.94
18      32    -37.75
19      34    -63.27
20      36     78.06
21      38     31.99
22      39    -23.29
23      41     73.81
ΔθgF＝θgF−（−1.61783×10-3×νｄ＋0.64146）
なる式で定義されるものである。
【０１２８】
（数値実施例３）
f= 72.15〜134.00〜193.98mm  Fno=2.91〜2.91〜2.91  2ω=33.38〜18.34〜12.72°
面番号       r        d      nd         vd       有効径      θgF      ΔθgF
1        184.543    2.80   1.68893    31.1       72.08
2        114.981    0.50                         70.09
3        123.562    7.90   1.43387    95.1       70.07
4       -454.426    0.15                         69.51
5         86.233    4.99   1.43387    95.1       64.76
6        184.549  (可変)                         64.25
7         51.222    2.20   1.72825    28.5       50.67
8         42.822    1.00                         48.65
9         46.801    8.86   1.43387    95.1       48.61
10      -5605.202  (可変)                         47.65
11      -1156.077    1.40   1.59282    68.6       37.31    0.54461     0.01428
12         35.535    5.38                         32.74
13       -122.699    1.40   1.49700    81.5       32.52    0.53859     0.02916
14         38.707    0.10   1.63555    22.7       32.66    0.68947     0.08477
15         30.548    5.10   1.80518    25.4       32.60    0.61166     0.01623
16         99.859    3.25                         32.33
17        -73.199    1.40   1.49700    81.5       32.33    0.53859     0.02916
18        107.915  (可変)                         32.94
19         62.681    3.30   1.72916    54.7       33.68    0.54423    -0.00880
20        277.652    0.15                         33.64
21         72.047    7.74   1.64850    53.0       33.69    0.55437    -0.00130
22(回折)  -39.050    2.50   1.88300    40.8       33.35    0.56694    -0.00857
23        280.878  (可変)                         33.17
24(絞り)    ∞       0.40                         33.25
25         72.927    5.19   1.65160    58.5       33.37
26        -75.063    0.20                         33.15
27         41.289    4.30   1.65412    39.7       30.27
28         92.256    4.24                         28.57
29       -126.392    1.60   1.84666    23.8       26.33
30         44.066    3.93   1.65160    58.5       26.04
31       2040.274    3.69                         26.04
32        671.910    3.70   1.80809    22.8       26.06
33        -41.843    1.40   1.65412    39.7       26.04
34         72.765    1.70                         25.69
35       -270.757    1.45   1.72916    54.7       25.71
36         38.452    3.47                         26.13
37        128.027    2.95   1.63930    44.9       27.71
38       -144.379    1.00                         28.27
39        131.181    8.74   1.63854    55.4       29.52
40        -21.905    2.00   1.88300    40.8       29.93
41       -320.641    0.50                         32.91
42         60.229    4.49   1.64769    33.8       35.34
43       -470.877                                 35.54
像面        ∞   
非球面データ
第22面(回折面)
C 2=-8.25947e-005  C 4= 1.28842e-007  C 6=-4.55268e-011  C 8=-3.71160e-013  
C10= 6.64181e-016  
各種データ
ズーム比      2.69 
焦点距離      72.15   134.00   193.98    99.00   149.00  
Fナンバー      2.91     2.91     2.91     2.91     2.91  
画角          16.69     9.17     6.36    12.33     8.26  
像高          21.64    21.64    21.64    21.64    21.64  
レンズ全長   218.50   218.50   218.50   218.50   218.50  
BF            45.75    45.75    45.75    45.75    45.75  
d 6           10.78    19.86    36.59    12.17    23.82  
d10            1.58    16.22    18.09    11.21    17.22  
d18           32.86    15.42     1.00    24.91    11.61  
d23           12.47     6.18     2.00     9.40     5.04  
最至近位置(無限遠時を基準とした像面から1400mm)での各群の間隔
d 6            2.00    10.53    26.10     3.31    14.23  
d10           10.36    25.56    28.59    20.07    26.81  
d18           32.86    15.42     1.00    24.91    11.61  
d23           12.47     6.18     2.00     9.40     5.04  
入射瞳位置   102.95   191.37   232.49   146.10   206.18  
射出瞳位置   -44.09   -44.09   -44.09   -44.09   -44.09  
前側主点位置 117.16   125.52     7.66   136.01   108.08  
後側主点位置 -26.40   -88.25  -148.23   -53.25  -103.25  
ズームレンズ群データ
群  始面    焦点距離  レンズ構成長  前側主点位置  後側主点位置
1    1     203.20        16.34         3.69         -7.61
2    7     148.86        12.06         0.04         -8.43
3   11     -28.85        18.03         6.18         -6.95
4   19     101.14        13.68        -5.14        -12.55
5   24      79.58        54.95        -2.27        -46.30
単レンズデータ
レンズ  始面  焦点距離
1       1   -450.16
2       3    224.84
3       5    367.44
4       7   -403.08
5       9    107.03
6      11    -58.13
7      13    -59.03
8      14   -229.10
9      15     52.92
10      17    -87.53
11      19    110.32
12      21     40.15(回折光学素子を除いたレンズ単体の値)
13      22    -38.68(回折光学素子を除いたレンズ単体の値)
14      25     57.56
15      27    110.57
16      29    -38.43
17      30     69.07
18      32     48.86
19      33    -40.42
20      35    -46.09
21      37    106.59
22      39     30.07
23      40    -26.71
24      42     82.72
ΔθgF＝θgF−（−1.61783×10-3×νｄ＋0.64146）
なる式で定義されるものである。
【０１２９】
（数値実施例４）
f= 102.40〜200.00〜388.96mm  Fno=4.63〜5.04〜5.83  2ω=23.86〜12.34〜6.36°
面番号       r        d      nd         vd       有効径      θgF      ΔθgF
1        214.688    2.80   1.83481    42.7       66.72
2(回折)   87.587    8.82   1.48749    70.2       65.77
3      -1315.277    0.20                         65.79
4         87.617    8.72   1.48749    70.2       65.71
5      -1657.152  (可変)                         65.17
6       -163.144    1.40   1.49700    81.5       27.57    0.53859     0.02916
7         42.760    4.34                         26.66
8        -55.479    1.40   1.43875    94.9       26.65    0.53463     0.04681
9         53.912    0.10   1.63555    22.7       27.34    0.68947     0.08477
10         43.349    3.48   1.85026    32.3       27.38    0.59339     0.00416
11        127.955  (可変)                         27.33
12        124.333    6.18   1.79952    42.2       29.59    0.56735    -0.00578
13(回折)  -40.895    2.00   1.88300    40.8       29.71    0.56694    -0.00857
14        213.855    0.20                         30.11
15         76.491    4.23   1.77250    49.6       30.43    0.55234    -0.00885
16        -96.901    1.00                         30.39
17(絞り)    ∞     (可変)                         29.72
18        -44.366    1.50   1.77250    49.6       27.73
19       -110.714  (可変)                         28.07
20         63.057    4.55   1.61772    49.8       28.43
21        -66.866    0.15                         28.20
22       -102.408    1.60   1.84666    23.8       27.80
23         43.641    1.00                         27.02
24         39.223    4.69   1.62004    36.3       27.35
25       -101.385    0.15                         27.17
26(非球面)110.859    3.59   1.62041    60.3       26.49
27       -179.535  (可変)                         25.74
28         96.935    1.35   1.88300    40.8       20.20
29         19.210    0.46                         19.38
30         20.782    5.43   1.64769    33.8       19.57
31        -33.011    0.31                         19.47
32        -30.845    1.35   1.78590    44.2       19.35
33(非球面) 52.231  (可変)                         19.37
34         66.421    7.05   1.63980    34.5       34.99
35        -57.869    1.50   1.77250    49.6       34.87
36        116.508                                 34.82
像面        ∞   
非球面データ
第2面(回折面)
C 2=-3.14492e-005  C 4= 1.84240e-010  C 6=-1.46723e-013  
第13面(回折面)
C 2=-1.00000e-004  C 4= 2.53628e-009  C 6= 1.18055e-010  C 8=-7.57586e-013  
C10= 1.03694e-015  
第26面
K  = 0.00000e+000  A 4=-4.07018e-006  A 6=-3.73556e-010  A 8=-7.29456e-012 
A10= 1.58357e-014  A12=-1.54900e-017  
第33面
K  = 0.00000e+000  A 4=-7.67130e-006  A 6=-8.55818e-009  A 8=-6.28165e-011 
A10= 3.60235e-013  A12=-1.81693e-015  
各種データ
ズーム比      3.80 
焦点距離     102.40   200.00   388.96   300.11   135.10  
Fナンバー      4.63     5.04     5.83     5.41     4.81  
画角          11.93     6.17     3.18     4.12     9.10  
像高          21.64    21.64    21.64    21.64    21.64  
レンズ全長   220.01   254.78   278.75   268.17   236.96  
BF            39.39    39.39    39.39    39.39    39.39  
d 5            9.58    57.33    88.85    77.14    31.69  
d11           29.55    18.03     2.00     8.92    25.08  
d17            8.82     8.53     6.09     7.61     8.72  
d19           17.34     7.79     1.96     2.03    13.15  
d27           13.20     9.71     1.36     5.53    12.16  
d33           22.59    34.44    59.55    47.98    27.21  
最至近位置(無限遠時を基準とした像面から1800mm)での各群の間隔
d 5            9.58    57.33    88.85    77.14    31.69  
d11           29.55    18.03     2.00     8.92    25.08  
d17            8.35     8.06     5.62     7.15     8.26  
d19           17.81     8.25     2.43     2.49    13.61  
d27           14.30    12.76     8.97    10.91    13.83  
d33           21.49    31.39    51.94    42.61    25.54  
入射瞳位置    62.57   188.75   350.89   281.39   108.09  
射出瞳位置   -56.52   -62.90   -82.91   -72.54   -58.77  
前側主点位置  55.64    -2.34  -497.22  -223.16    57.26  
後側主点位置 -63.01  -160.62  -349.57  -260.72   -95.71  
ズームレンズ群データ
群  始面    焦点距離  レンズ構成長  前側主点位置  後側主点位置
1    1     161.56        20.54         7.04         -6.57
2    6     -47.22        10.73         2.51         -5.49
3   12      55.57        13.61         4.38         -3.89
4   18     -96.79         1.50        -0.57         -1.43
5   20      46.22        15.73         6.05         -4.45
6   28     -37.77         8.90         4.25         -1.15
7   34     892.50         8.55       -39.32        -42.60
単レンズデータ
レンズ  始面  焦点距離
1       1   -179.01(回折光学素子を除いたレンズ単体の値)
2       2    168.80(回折光学素子を除いたレンズ単体の値)
3       4    170.99
4       6    -68.02
5       8    -62.08
6       9   -349.42
7      10     75.67
8      12     39.14(回折光学素子を除いたレンズ単体の値)
9      13    -38.74(回折光学素子を除いたレンズ単体の値)
10      15     55.93
11      18    -96.79
12      20     53.25
13      22    -35.96
14      24     46.20
15      26    111.00
16      28    -27.36
17      30     20.50
18      32    -24.50
19      34     49.43
20      35    -49.86
ΔθgF＝θgF−（−1.61783×10-3×νｄ＋0.64146）
なる式で定義されるものである。
【０１３０】
【表１】
0006418888.tif 000018
【０１３１】
【表２】
0006418888.tif 000019
【０１３２】
表中の条件式（５）の数値は物体側から順に正レンズの屈折率を記述しており、表中の「−−」とは、それ以上正レンズが存在せず数値を算出できないことを表わす。
【０１３３】
以上、本発明の好ましい実施形態について説明したが、本発明はこれらの実施形態に限定されず、その要旨の範囲内で種々の変形及び変更が可能である。
【０１３４】
次に本発明のズームレンズを撮像装置（カメラシステム）に適用した実施形態を図９を用いて説明する。
【０１３５】
図９は一眼レフカメラの概略図である。図９において、１０は実施例１〜４のいずれか１つのズームレンズ１を有する撮像レンズである。ズームレンズ１は保持部材である鏡筒２に保持される。２０はカメラ本体である。カメラ本体は撮像レンズ１０からの光束を上方に反射するクイックリターンミラー３、撮像レンズ１０の像形成位置に配置された焦点板４、焦点板４に形成された逆像を正立像に変換するペンタダハプリズム５を有する。さらに、その正立像を観察するための接眼レンズ６等によって構成されている。７は感光面であり、ＣＣＤセンサやＣＭＯＳセンサ等の撮像素子（光電変換素子）や銀塩フィルムが配置される。撮影時にはクイックリターンミラー３が光路から退避して、感光面７上に撮影レンズ１０によって像が形成される。
【０１３６】
このように実施例１〜４のズームレンズを写真用カメラや、ビデオカメラ、デジタルスチルカメラ等の撮像装置に適用することにより、小型で高い結像性能を有する撮像装置を実現する。なお、本発明のズームレンズはクイックリターンミラーのない撮像装置にも適用することができる。
【０１３７】
次に本発明のズームレンズを投射用装置（プロジェクター）に適用した実施形態を図１０を用いて説明する。
【０１３８】
同図は本発明のズームレンズを３板式のカラー液晶プロジェクターに適用し、複数の液晶表示素子に基づく複数の色光の画像情報を色合成手段を介して合成し、ズームレンズでスクリーン面上に拡大投射する画像投射装置を示す。図１０においてカラー液晶プロジェクター１００は、Ｒ、Ｇ、Ｂの３枚のパネル、５Ｒ、５Ｇ、５ＢからのＲＧＢの各色光を色合成手段としてのプリズム２００で１つの光路に合成する。そして、前述したズームレンズより成る投射レンズ３００を用いてスクリーン４００に投影する。
【０１３９】
このように数値実施例１〜４のズームレンズを一眼レフカメラやデジタルカメラ、プロジェクター等に適用することにより、高い結像性能を有する光学機器を実現することができる。
【符号の説明】
【０１４０】
Ｌ０    ズームレンズ
Ｌ１    第１レンズ群
ＬＡ    レンズ群ＬＡ
ＬＢ    レンズ群ＬＢ
ＳＰ    開口絞り
ＤＯＥ  回折光学素子
【図１】
0006418888.tif 000024
【図２】
0006418888.tif 000025
【図３】
0006418888.tif 000026
【図４】
0006418888.tif 000027
【図５】
0006418888.tif 000028
【図６】
0006418888.tif 000029
【図７】
0006418888.tif 000030
【図８】
0006418888.tif 000031
【図９】
0006418888.tif 000032
【図１０】
0006418888.tif 000033
【図１１】
0006418888.tif 000034